(57)【特許請求の範囲】
【請求項１】
現像剤像を担持しながら回転する像担持体と、
前記像担持体に対向して配置され、前記像担持体上の現像剤像を、搬送される記録シートに転写位置において転写させる転写部材と、
前記転写位置に対して前記像担持体の回転方向下流側において前記像担持体に接触可能に配置され、前記像担持体から前記記録シートを剥離させる剥離部材と、
前記剥離部材が前記像担持体に当接する当接位置と前記剥離部材が前記像担持体から離間する離間位置との間で前記剥離部材を変位させる接離機構と、
所定の条件が揃ったときに前記接離機構を制御することで、前記像担持体に対して剥離部材を接離させる制御装置と、を備えた画像形成装置であって、
前記制御装置は、
前記転写部材に転写バイアスを印加しているときに、前記像担持体と前記転写部材との間の電気抵抗値を測定可能に構成されるとともに、前記転写位置に到達した前記記録シートの電気抵抗値を測定可能に構成され、
前記像担持体と前記転写部材との間を記録シートが通っていないときに測定した電気抵抗値が、第２所定値以下であり、かつ、前記記録シートの電気抵抗値が、所定の閾値を超えているときに、前記接離機構を制御して前記剥離部材を前記像担持体に当接させ、前記像担持体と前記転写部材との間を記録シートが通っていないときに測定した電気抵抗値が、第２所定値を超えているとき、または、前記記録シートの電気抵抗値が、前記閾値以下であるときに、前記剥離部材を前記像担持体から離間した状態に維持する接離制御を実行することを特徴とする画像形成装置。
【請求項２】
現像剤像を担持しながら回転する像担持体と、
前記像担持体に対向して配置され、前記像担持体上の現像剤像を、搬送される記録シートに転写位置において転写させる転写部材と、
前記転写位置に対して前記像担持体の回転方向下流側において前記像担持体に接触可能に配置され、前記像担持体から前記記録シートを剥離させる剥離部材と、
前記剥離部材が前記像担持体に当接する当接位置と前記剥離部材が前記像担持体から離間する離間位置との間で前記剥離部材を変位させる接離機構と、
所定の条件が揃ったときに前記接離機構を制御することで、前記像担持体に対して剥離部材を接離させる制御装置と、を備えた画像形成装置であって、
前記制御装置は、
前記転写部材に転写バイアスを印加しているときに、前記像担持体と前記転写部材との間の電気抵抗値を測定可能に構成され、
前記像担持体と前記転写部材との間を記録シートが通っていないときに測定した電気抵抗値が、第２所定値以下であり、かつ、前記電気抵抗値の変化量が、第１所定値を超えているときに、前記接離機構を制御して前記剥離部材を前記像担持体に当接させ、前記像担持体と前記転写部材との間を記録シートが通っていないときに測定した電気抵抗値が、第２所定値を超えているとき、または、前記電気抵抗値の変化量が、前記第１所定値以下であるときに、前記剥離部材を前記像担持体から離間した状態に維持する接離制御を実行することを特徴とする画像形成装置。
【請求項３】
前記剥離部材は、前記像担持体と接触可能な接触部を有し、
前記制御装置は、
前記接離制御において前記剥離部材を前記像担持体に当接させた後、
前記記録シートの搬送方向下流側端が前記剥離部材の接触部を通り過ぎてから、前記記録シートの搬送方向上流側端が前記剥離部材の接触部を通り過ぎるまでの間に、前記接離機構を制御して前記剥離部材を前記像担持体から離間させることを特徴とする請求項１または請求項２に記載の画像形成装置。
【請求項４】
前記制御装置は、
前記記録シートの搬送方向下流側端が前記剥離部材の接触部を通り過ぎたか否かを判断し、
通り過ぎたときに、前記接離機構を制御して前記剥離部材を前記像担持体から離間させることを特徴とする請求項３に記載の画像形成装置。
【発明の詳細な説明】
【技術分野】
【０００１】
本発明は、像担持体から記録シートを剥離させる剥離部材を備えた画像形成装置に関する。
【背景技術】
【０００２】
従来、トナー像を担持する感光ドラム（像担持体）と、感光ドラムに貼り付いた用紙を剥がすための剥離部材と、剥離部材を感光ドラムに接離させる接離機構とを備えた画像形成装置が知られている（特許文献１参照）。具体的に、この技術では、用紙の通過を検知する通紙センサにより感光ドラムと転写ローラとの間のニップ部に用紙が突入するか否かを判断しており、用紙がニップ部に突入する場合に、剥離部材を感光ドラムに接触させている。これにより、剥離部材が感光ドラムを無駄に摺接しないので、感光ドラムから用紙に転写しきれずに感光ドラム上に残ったトナーが剥離部材に付着して次回の剥離時に剥離部材上のトナーで用紙を汚してしまうことを抑制することが可能となるとともに、感光ドラムや剥離部材の寿命を延ばすことが可能となっている。
【先行技術文献】
【特許文献】
【０００３】
【特許文献１】特開平１−１８５５７１号公報
【発明の概要】
【発明が解決しようとする課題】
【０００４】
しかしながら、従来技術では、用紙がニップ部に突入するたびに剥離部材を感光ドラムに接触させるので、感光ドラムに用紙が貼り付きにくい場合（例えば用紙の先端が剥離部材側にカールしていない場合）であっても剥離部材を感光ドラムに摺擦させてしまい、剥離部材と感光ドラムとの摺擦距離が長くなるといった問題があった。そして、このように摺擦距離が長くなると、感光ドラム上の転写残トナー（転写しきれずに残ったトナー）が剥離部材に付着するといった問題や、剥離部材と感光ドラムがともに摩耗してしまうといった問題があった。
【０００５】
そこで、本発明は、剥離部材の感光ドラム（像担持体）への接触回数および摺擦距離を少なくすることで、剥離部材へのトナー（現像剤）の付着を抑えるとともに、感光ドラムや剥離部材の寿命を延ばすことを目的とする。
【課題を解決するための手段】
【０００６】
前記課題を解決する本発明は、現像剤像を担持しながら回転する像担持体と、前記像担持体に対向して配置され、前記像担持体上の現像剤像を、搬送される記録シートに転写位置において転写させる転写部材と、前記転写位置に対して前記像担持体の回転方向下流側において前記像担持体に接触可能に配置され、前記像担持体から前記記録シートを剥離させる剥離部材と、前記剥離部材が前記像担持体に当接する当接位置と前記剥離部材が前記像担持体から離間する離間位置との間で前記剥離部材を変位させる接離機構と、所定の条件が揃ったときに前記接離機構を制御することで、前記像担持体に対して剥離部材を接離させる制御装置と、を備えた画像形成装置であって、前記制御装置は、前記転写位置に到達した前記記録シートの電気抵抗値を測定可能に構成され、前記記録シートの電気抵抗値が、所定の閾値を超えているときに、前記接離機構を制御して前記剥離部材を前記像担持体に当接させ、前記閾値以下であるときに、前記剥離部材を前記像担持体から離間した状態に維持する接離制御を実行することを特徴とする。
【０００７】
ここで、本願発明者らは、両面印字の２面目印字時に紙ジャム（記録シートが像担持体に貼り付くことによる紙詰まり）が発生しやすいことを発見している。本発明は、この発見に着目した発明であり、両面印字の２面目印字のときにだけ剥離部材を像担持体に接触させることで、剥離部材の像担持体への接触回数を少なくしている。
【０００８】
具体的に、本発明では、２面目印字のときであるか否かを判断するのに、記録シートの電気抵抗値を利用している。すなわち、熱による現像剤定着を行う画像形成装置では、２面目印字のときに像担持体と転写部材との間を通る記録シートは、１面目印字のときよりも乾燥した状態となるため、記録シートの電気抵抗値は、２面目印字のときの方が１面目印字のときよりも大きくなる。そのため、本発明における「所定の閾値」は、例えば２面目印字のときの電気抵抗値よりも小さく、かつ、１面目印字のときの電気抵抗値よりも大きな値に設定すればよく、具体的には実験やシミュレーションなどによって適宜設定すればよい。
【０００９】
本発明によれば、電気抵抗値が所定の閾値を超えているとき（すなわち、電気抵抗値が大きいとき、２面目印字のために乾燥した記録シートが転写位置を通過するとき）にだけ、剥離部材を像担持体に当接させるので、転写位置に用紙が到達するたびに剥離部材を当接させるような従来技術に比べ、剥離部材と像担持体との摺接を抑えることができる。
【発明の効果】
【００１０】
本発明によれば、剥離部材の像担持体への接触回数および摺擦距離を少なくすることができるので、剥離部材への現像剤の付着を抑えるとともに、像担持体や剥離部材の寿命を延ばすことができる。
【図面の簡単な説明】
【００１１】
【図１】本発明の実施形態に係るレーザプリンタを示す図である。
【図２】制御装置の動作を示すフローチャートである。
【図３】他の実施形態に係る制御装置の動作を示すフローチャートである。
【発明を実施するための形態】
【００１２】
＜レーザプリンタの全体構成＞
次に、本発明の実施形態について、適宜図面を参照しながら詳細に説明する。なお、以下の説明においては、まず、画像形成装置の一例としてのレーザプリンタの全体構成を説明した後、本発明の特徴部分を詳細に説明することとする。
【００１３】
以下の説明において、方向は、レーザプリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１４】
図１に示すように、レーザプリンタ１は、記録シートの一例としての用紙Ｐを装置本体２内に給紙するためのフィーダ部３と、用紙Ｐに画像を形成するための画像形成部４を備えている。
【００１５】
フィーダ部３は、装置本体２の下部に着脱可能に装着される給紙トレイ３１と、給紙トレイ３１内の用紙Ｐを画像形成部４に向けて給紙する給紙機構３２を備えている。給紙機構３２は、給紙ローラ３３と、分離ローラ３４と、レジストローラ３５を備えている。
【００１６】
フィーダ部３では、給紙トレイ３１内の用紙Ｐが給紙ローラ３３および分離ローラ３４によって１枚ずつに分離されて搬送される。その後、用紙Ｐは、図示せぬ紙粉取りローラで紙粉が除去された後、レジストローラ３５で先端の位置が揃えられて画像形成部４（感光ドラム８１と転写ローラＣＲの間）に送られる。
【００１７】
画像形成部４は、スキャナユニット５、プロセスカートリッジ６、転写部材の一例としての転写ローラＣＲおよび定着装置７を備えている。
【００１８】
スキャナユニット５は、装置本体２内の上部に設けられ、図示しないレーザ発光部、ポリゴンミラー、レンズおよび反射鏡などを備えている。このスキャナユニット５では、レーザビームを、後述する像担持体の一例としての感光ドラム８１の表面上に高速走査にて照射する。
【００１９】
プロセスカートリッジ６は、装置本体２に着脱可能であり、感光ドラム８１や帯電器８２を有するドラムカートリッジ８と、現像ローラ９１や現像剤の一例としてのトナーを有する現像カートリッジ９を備えている。
【００２０】
プロセスカートリッジ６では、回転する感光ドラム８１の表面が、帯電器８２により一様に帯電された後、スキャナユニット５からのレーザビームの高速走査により露光される。これにより、露光された部分の電位が下がって、感光ドラム８１の表面に画像データに基づく静電潜像が形成される。
【００２１】
次いで、回転駆動される現像ローラ９１によって現像カートリッジ９内のトナーが感光ドラム８１の静電潜像に供給されて、感光ドラム８１の表面上にトナー像が形成される。その後、感光ドラム８１と、当該感光ドラム８１に対向して配置される転写ローラＣＲとの間を用紙Ｐが通る際に、転写ローラＣＲに転写バイアスが印加されることにより、転写位置ＣＰにおいて感光ドラム８１の表面に担持されているトナー像が、搬送される用紙Ｐ上に転写される。
【００２２】
定着装置７は、加熱ローラ７１と、加熱ローラ７１と対向して配置され加熱ローラ７１を押圧する加圧ローラ７２とを備えている。そして、このように構成される定着装置７では、用紙Ｐ上に転写されたトナーを、用紙Ｐが加熱ローラ７１と加圧ローラ７２との間を通過する間に熱定着している。
【００２３】
そして、定着装置７で熱定着された用紙Ｐは、定着装置７の下流側に配設される排紙ローラＲに搬送され、この排紙ローラＲから排紙トレイ２１上に排出される。なお、両面印字時においては、表面（１面目）が印字された用紙Ｐは、排紙ローラＲにより途中まで排紙トレイ２１上に排出された後、排紙ローラＲの逆回転（スイッチバック）によって戻し経路２２に送られ、複数の再搬送ローラ２３によってレジストローラ３５（画像形成部４の上流側）に反転状態で再供給される。
【００２４】
そして、レジストローラ３５から感光ドラム８１と転写ローラＣＲの間に送られることで、用紙Ｐの裏面（２面目）にトナー像が転写される。その後、用紙Ｐは、表面印字時と同様に、定着装置７を通った後、排紙ローラＲによって排紙トレイ２１上に排出される。
【００２５】
＜剥離フィルム周りの構造＞
次に、本発明の特徴部分である剥離フィルム１００周りの構造について説明する。
レーザプリンタ１は、剥離部材の一例としての剥離フィルム１００と、剥離フィルム１００を感光ドラム８１に接離させるための接離機構１１０および制御装置１２０と、用紙Ｐの通過を検知する通紙センサ１３０を備えている。
【００２６】
剥離フィルム１００は、左右（感光ドラム８１の軸方向）に延びる長尺のシート材であり、上端に設けられた回転軸１０１が装置本体２に回動可能に支持されている。剥離フィルム１００は、転写位置ＣＰよりも感光ドラム８１の回転方向下流側において感光ドラム８１に接触可能な接触部１０２を有しており、この接触部１０２が感光ドラム８１に接触している状態で感光ドラム８１から用紙Ｐを剥離させるようになっている。
【００２７】
接離機構１１０は、剥離フィルム１００が感光ドラム８１に当接する当接位置（実線の位置）と、剥離フィルム１００が感光ドラム８１から離間する離間位置（破線の位置）との間で剥離フィルム１００を揺動（変位）させる機構となっている。なお、接離機構１１０としては、例えばモータを正転・逆転させることで剥離フィルム１００を当接位置と離間位置との間で揺動させる機構や、剥離フィルム１００を常時当接位置に付勢するバネと、磁力により剥離フィルム１００をバネの付勢力に抗して離間位置に引き寄せる電磁石とで構成される機構などを採用することができる。
【００２８】
通紙センサ１３０は、スキャナユニット５によるレーザビームの出射タイミングを決めるための既存のセンサであり、感光ドラム８１と転写ローラＣＲとの間に突入する前の用紙Ｐの通過を検知している。そして、本実施形態では、このような既存の通紙センサ１３０を利用して制御装置１２０が後述する接離制御を行うようになっている。
【００２９】
制御装置１２０は、ＣＰＵ，ＲＯＭ，ＲＡＭなどを有し、予め用意されたプログラムに従い、印字指令（印刷データ）の受信、フィーダ部３、画像形成部４および接離機構１１０の制御を行うように構成されている。特に、本実施形態において、制御装置１２０は、所定の条件が揃ったときに接離機構１１０を制御することで、感光ドラム８１に対して剥離フィルム１００を接離させる制御を行うようになっている。
【００３０】
具体的に、制御装置１２０は、転写ローラＣＲに転写バイアスを印加しているときに、感光ドラム８１と転写ローラＣＲとの間の電気抵抗値を測定可能に構成されており、これにより、転写位置ＣＰに到達した用紙Ｐの電気抵抗値を測定可能となっている。ここで、「感光ドラム８１と転写ローラＣＲとの間の電気抵抗値」とは、感光ドラム８１と転写ローラＣＲの電気抵抗値を含んだ電気抵抗値をいう。すなわち、「感光ドラム８１と転写ローラＣＲとの間の電気抵抗値」とは、感光ドラム８１と転写ローラＣＲとの間に用紙Ｐがないときは感光ドラム８１と転写ローラＣＲの電気抵抗値の総量であり、用紙Ｐがあるときは感光ドラム８１、用紙Ｐおよび転写ローラＣＲの電気抵抗値の総量である。
【００３１】
また、制御装置１２０は、印字指令を受けてから印字制御が完了するまでの間、転写ローラＣＲに転写バイアスを印加するように構成されている。なお、画像形成装置がカラーの場合には、例えば印字制御後の公知のクリーニング制御が完了するまでの間、転写バイアスを印加するように制御装置が構成されていてもよい。
【００３２】
そして、この制御装置１２０は、電気抵抗値の変化量が、第１所定値（所定の閾値）を超えているときに、接離機構１１０を制御して剥離フィルム１００を感光ドラム８１に当接させ、第１所定値以下であるときに、剥離フィルム１００を感光ドラム８１から離間した状態に維持する接離制御を実行するようになっている。ここで、「電気抵抗値の変化量」とは、所定のサイクルで測定している電気抵抗値の前回値（用紙Ｐが転写位置ＣＰに入る前）と今回値（用紙Ｐが転写位置ＣＰに入った後）との差をいう。なお、剥離フィルム１００は、このような接離制御が実行されない限り、常時感光ドラム８１から離間した状態となっている。
【００３３】
ここで、「第１所定値」は、例えば２面目印字のために用紙Ｐが感光ドラム８１と転写ローラＣＲとの間を通るときの電気抵抗値の変化量よりも僅かに小さな値に設定すればよく、具体的には実験やシミュレーションなどによって適宜設定すればよい。より詳しくは、高湿環境下における２面目印字時の電気抵抗値の変化量よりも小さく、かつ、低湿環境下における１面目印字時の電気抵抗値の変化量よりも大きな値を、第１所定値とすればよい。
【００３４】
なお、１面目印字時の電気抵抗値の変化量は、温度に関わらず、湿度が低くなる程、大きな値となることが実験等により確認されている。また、２面目印字時の電気抵抗値の変化量は、温度に関わらず、湿度が高くなる程、小さな値となることが実験等により確認されている。さらには、高湿環境下における２面目印字時の電気抵抗値の変化量は、低湿環境下における１面目印字時の電気抵抗値の変化量と略同じ値もしくはこれよりも大きな値となることも実験等により確認されている。
【００３５】
このように設定された第１所定値によって接離制御を行うことによって、感光ドラム８１に用紙Ｐが貼り付き易い２面目印字時のみに剥離フィルム１００が感光ドラム８１に接触するので、剥離フィルム１００と感光ドラム８１との無駄な摺接が抑制されている。
【００３６】
また、制御装置１２０は、感光ドラム８１と転写ローラＣＲとの間を用紙Ｐが通っていないときに測定した電気抵抗値が、第２所定値以下であるときに、接離制御を実行し、第２所定値を超えているときに、接離制御を実行しないように構成されている。ここで、「第２所定値」とは、低温・低湿環境下における電気抵抗値と、常温・常湿環境下における電気抵抗値とを切り分けるための境界の値に設定されている。
【００３７】
これによれば、電気抵抗値が第２所定値を超えているとき、すなわち低温・低湿環境下においては、接離制御が実行されないので、剥離フィルム１００が感光ドラム８１から離間した状態に維持されて、剥離フィルム１００と感光ドラム８１との無駄な摺接をより抑えることが可能となっている。ここで、低温・低湿環境下においては、２面目印字時であっても、用紙Ｐがカールしにくく、感光ドラム８１に貼り付きにくいことが実験等によって確認されている。そのため、前述したように低温・低湿環境下において接離制御を実行しなくても、紙ジャムが発生することはない。
【００３８】
また、制御装置１２０は、用紙Ｐの先端（搬送方向下流側端）が剥離フィルム１００の接触部１０２を通り過ぎたか否かを判断し、通り過ぎたときに、接離機構１１０を制御して剥離フィルム１００を感光ドラム８１から離間させるように構成されている。
【００３９】
具体的に、制御装置１２０は、図２に示すフローチャートに基づいて制御を実行する。
図２に示すように、制御装置１２０は、まず、電気抵抗値が第２所定値α以下であるか否かを判断する（Ｓ１）。ステップＳ１において、電気抵抗値が第２所定値α以下である場合、すなわち使用環境が低温・低湿環境下でない場合には（Ｙｅｓ）、制御装置１２０は、通紙センサ１３０からの信号に基づいて、用紙Ｐが通紙センサ１３０を通過したか否かを判断する（Ｓ２）。
【００４０】
ステップＳ２において、用紙Ｐが通紙センサ１３０を通過したと判断した場合には（Ｙｅｓ）、制御装置１２０は、第１規定時間ｔ１が経過したか否かを判断する（Ｓ３）。ここで、「第１規定時間ｔ１」とは、用紙Ｐが通紙センサ１３０を通過してから転写位置ＣＰに到達するまでの時間である。すなわち、ステップＳ３では、用紙Ｐが転写位置ＣＰに到達したか否かを判断している。
【００４１】
ステップＳ３において、第１規定時間ｔ１が経過した場合、すなわち用紙Ｐが転写位置ＣＰに到達した場合には（Ｙｅｓ）、制御装置１２０は、電気抵抗値の変化量が第１所定値βを超えているか否かを判断する（Ｓ４）。ステップＳ４において、電気抵抗値の変化量が第１所定値βを超えている場合、すなわち両面印字における２面目印字である場合には（Ｙｅｓ）、制御装置１２０は、剥離フィルム１００を感光ドラム８１に当接させる（Ｓ５）。
【００４２】
ステップＳ５の後、制御装置１２０は、第２規定時間ｔ２が経過したか否かを判断する（Ｓ６）。ここで、「第２規定時間ｔ２」は、剥離フィルム１００を感光ドラム８１に当接させてから用紙Ｐの先端が剥離フィルム１００の接触部１０２を通り過ぎるまでにかかる時間である。すなわち、ステップＳ５では、用紙Ｐの先端が剥離フィルム１００の接触部１０２を通り過ぎたか否かを判断している。
【００４３】
ステップＳ６において、第２規定時間ｔ２が経過した場合、すなわち用紙Ｐの先端が剥離フィルム１００の接触部１０２を通り過ぎた場合には（Ｙｅｓ）、制御装置１２０は、剥離フィルム１００を感光ドラム８１から離間させて（Ｓ７）、本制御を終了する。また、ステップＳ４において、電気抵抗値の変化量が第１所定値β以下である場合、すなわち１面目印字である場合には（Ｎｏ）、制御装置１２０は、ステップＳ５〜Ｓ７を行わずに、本制御を終了する。
【００４４】
以上によれば、本実施形態において以下のような効果を得ることができる。
電気抵抗値の変化量が第１所定値βを超えているとき（すなわち、電気抵抗値の変化量が大きいとき、２面目印字のために乾燥した用紙Ｐが転写位置ＣＰを通過するとき）にだけ、剥離フィルム１００を感光ドラム８１に当接させるので、転写位置に用紙が到達するたびに剥離部材を当接させるような従来技術に比べ、剥離フィルム１００と感光ドラム８１との摺接を抑えることができる。そのため、剥離フィルム１００と感光ドラム８１との接触回数および摺擦距離を少なくすることができるので、剥離フィルム１００へのトナーの付着を抑えるとともに、感光ドラム８１や剥離フィルム１００の寿命を延ばすことができる。
【００４５】
感光ドラム８１と転写ローラＣＲとの間を用紙Ｐが通っていないときの電気抵抗値が第２所定値αを超えているとき、すなわち、用紙Ｐのジャムが発生しにくい低温・低湿環境下では接離制御（Ｓ４〜Ｓ７）に移行することはないので、低温・低湿環境下における無駄な接離制御を抑えることができる。そのため、剥離フィルム１００へのトナーの付着をさらに抑えることができるとともに、感光ドラム８１等の寿命をさらに延ばすことができる。
【００４６】
用紙Ｐの先端が剥離フィルム１００の接触部１０２を通り過ぎたときに剥離フィルム１００を感光ドラム８１から離間させるので、例えば、用紙全体が剥離フィルムの接触部を通り過ぎた後に剥離フィルムを感光ドラムから離間させる構造に比べ、剥離フィルム１００と感光ドラム８１とが摺接する時間を短くすることができる。そのため、剥離フィルム１００へのトナーの付着をさらに抑えることができるとともに、感光ドラム８１等の寿命をさらに延ばすことができる。
【００４７】
なお、本発明は前記実施形態に限定されることなく、以下に例示するように様々な形態で利用できる。
前記実施形態では、用紙Ｐの先端が剥離フィルム１００の接触部１０２を通り過ぎたときに剥離フィルム１００を感光ドラム８１から離間させたが、本発明はこれに限定されるものではない。例えば、接離制御において剥離フィルムを感光ドラムに当接させた後、用紙の先端（搬送方向下流側端）が剥離フィルムの接触部を通り過ぎてから、用紙の後端（搬送方向上流側端）が剥離フィルムの接触部を通り過ぎるまでの間（用紙が剥離フィルムに接している間）であれば、どのタイミングで剥離フィルムを感光ドラムから離間させてもよい。この場合であっても、用紙が剥離フィルムから完全に離れた後に剥離フィルムを感光ドラムから離間させる構造に比べ、剥離フィルム１００へのトナーの付着をさらに抑えることができるとともに、感光ドラム等の寿命を延ばすことができる。
【００４８】
前記実施形態では、通紙センサ１３０からの信号を利用して制御を行ったが、本発明はこれに限定されず、通紙センサ１３０からの信号を利用しないで制御することも可能である。具体的には、図３に示すように、図２のフローチャートからステップＳ２，Ｓ３を取り除くとともに、ステップＳ４でＮｏと判断された後に、印刷が完了したか否かを判断し、完了した場合（Ｙｅｓ）には本制御を終了し、完了していない場合（Ｎｏ）には再度ステップＳ４の処理に戻る新たなステップＳ１１を設ければよい。
【００４９】
これによれば、例えば両面印字の１面目印字の際には、制御装置は、ステップＳ４：Ｎｏ→ステップＳ１１：Ｎｏの処理を繰り返し実行する。そして、２面目印字が開始されると、ステップＳ４でＹｅｓと判断されて、ステップＳ５〜Ｓ７が実行される。また、片面印字の場合には、制御装置は、ステップＳ４：Ｎｏ→ステップＳ１１：Ｎｏの処理を所定時間繰り返した後、片面印字の完了後は、ステップＳ１１でＹｅｓと判断して、本制御を終了する。
【００５０】
前記実施形態では、電気抵抗値の変化量が、第１所定値を超えているときに、剥離フィルム１００を感光ドラム８１に当接させ、第１所定値以下であるときに、剥離フィルム１００を感光ドラム８１から離間した状態に維持したが、本発明はこれに限定されるものではない。例えば第１所定値の値によっては、電気抵抗値の変化量が、第１所定値以上であるときに剥離フィルム１００を当接させ、第１所定値未満であるときに剥離フィルム１００を離間させてもよい。また、第２所定値も同様に、第２所定値の値によっては、第２所定値未満であるときに接離制御を実行し、第２所定値以上であるときに接離制御を実行しないようにしてもよい。
【００５１】
前記実施形態では、像担持体として感光ドラム８１を例示したが、本発明はこれに限定されず、像担持体は、例えばベルト状の感光体であってもよい。
【００５２】
前記実施形態では、剥離部材の一例として撓み変形しやすい剥離フィルム１００を例示したが、本発明はこれに限定されず、剥離部材は、撓み変形し難い部材であってもよい。
【００５３】
前記実施形態では、転写部材として転写ローラＣＲを例示したが、本発明はこれに限定されず、転写部材は、導電性ブラシや導電性板バネなど、転写バイアスが印加されるものであればよい。
【００５４】
前記実施形態では、記録シートの一例として厚紙、はがき、薄紙などの用紙Ｐを例示したが、本発明はこれに限定されず、記録シートは、例えばＯＨＰシートであってもよい。
【００５５】
前記実施形態では、低温・低湿環境下では接離制御（Ｓ４〜Ｓ７）に移行しないようにステップＳ１の処理を設けたが、本発明はこれに限定されず、ステップＳ１の処理はなくてもよい。この場合には、低温・低湿環境下でステップＳ４の処理を行う際に、１面目印字のときも用紙が乾いているためステップＳ５へ進むことがあり得る、すなわち、低温・低湿環境下では用紙が転写位置に来るたびに剥離部材が感光ドラムに当接されることもあり得る。しかし、このような現象は、用紙が転写位置に来るたびに剥離部材を感光ドラムに当接させる従来技術と同様であるため、特に問題はない。また、この場合であっても、常温・常湿や高温・高湿の環境下では、前記実施形態と同様の効果を確実に発揮できるので、従来技術よりも剥離部材と感光ドラムの摺接を抑制することができる。
【００５６】
前記実施形態では、レーザプリンタ１に本発明を適用したが、本発明はこれに限定されず、その他の画像形成装置、例えば複写機や複合機などに本発明を適用してもよい。
【００５７】
前記実施形態では、像担持体と転写部材との間の電気抵抗値の変化量が第１所定値を超えたか否かを判定することで、記録シートの電気抵抗値が所定の閾値を超えているか否かを判定したが、本発明はこれに限定されるものではない。例えば、像担持体と転写部材との間の電気抵抗値が所定の閾値を超えているか否かを判定することで、記録シートの電気抵抗値が所定の閾値を超えているか否かを判定してもよい。
【００５８】
前記実施形態では、記録シートの電気抵抗値を測定する方法として、像担持体と転写部材との間の電気抵抗値を測定したが、本発明はこれに限定されず、例えば他のセンサを用いて記録シートの電気抵抗値を測定してもよい。なお、他のセンサは、例えば像担持体と転写部材とのニップ部へ向けて記録シートを搬送する一対のローラ（例えばレジストローラ３５）に電圧をかけることで構成することができる。この場合であっても、一対のローラ間の電気抵抗値を見ることで、記録シートの電気抵抗値を知ることができる。
【符号の説明】
【００５９】
１      レーザプリンタ
８１    感光ドラム
１００  剥離フィルム
１０２  接触部
１１０  接離機構
１２０  制御装置
１３０  通紙センサ
ＣＰ    転写位置
ＣＲ    転写ローラ
Ｐ      用紙
【図１】
0005589723.tif 000002
【図２】
0005589723.tif 000003
【図３】
0005589723.tif 000004